(57)【要約】【課題】安価な構成で、プレフィルターを確実に清掃できる空気調和機を提供する。【解決手段】吸込み口２と排気口４を連通する通過風路５内に、フィルター２０とそれを保持する枠体２１より成るプレフィルター６と、送風機８を設け、プレフィルター６の上流側表面に接触し、プレフィルター６で捕集された塵埃を除去するブラシ１２ｂ等より成る除塵体１２と、除塵体１２で除去された塵埃を収納する収納体１３と、プレフィルター６を通過風路５内で往復移動させる第１の駆動体１４を備え、フィルター２０の断面形状を略波形又はＷ字状としたもので、フィルター２０の断面形状を波形やＷ字状にすることで、その有効濾過面積を増やし、送風機８への圧力損失が減少し長寿命化、小型化、塵埃捕集量の増加が可能で、かつプレフィルター６の強度もUPするので、目詰まり状態でも送風機８による吸引力に打ち勝ち、フィルター２０が変形するのを防止することができる。【選択図】図１
2009180465.tif 000002
【特許請求の範囲】
【請求項１】
吸込み口と排気口を有する本体に、浮遊塵埃を含む室内の空気を前記吸込み口から前記排気口に導く通過風路を形成し、前記通過風路内に、略シート状のフィルターと該フィルターの外周囲を保持する枠体より成る塵埃捕集用のプレフィルターと、送風機を設け、前記プレフィルターの上流側表面に接触し、前記プレフィルターで捕集された塵埃を除去するブラシ等より成る除塵体と、前記除塵体乃至プレフィルターのいずれかを前記通過風路内で往復移動させる駆動体を備え、前記フィルターの断面形状を略波形又はＷ字状としたことを特徴とする空気調和機。
【請求項２】
相対的に除塵体がプレフィルターの上流側表面に接触しながら移動する時に、前記除塵体又は前記プレフィルターの少なくとも一方を揺動させることを特徴とする請求項１に記載の空気調和機。
【請求項３】
吸込み口と排気口を有する本体に、浮遊塵埃を含む室内の空気を前記吸込み口から前記排気口に導く通過風路を形成し、前記通過風路内に、略シート状のフィルターと該フィルターの外周囲を保持する枠体より成る塵埃捕集用のプレフィルターと、送風機を設け、前記プレフィルターの上流側表面に接触し、前記プレフィルターで捕集された塵埃を除去するブラシ等より成る除塵体と、前記除塵体乃至プレフィルターのいずれかを前記通過風路内で往復移動させる駆動体を備え、前記除塵体と前記プレフィルターの接触部の断面形状を略波形又はＷ字状としたことを特徴とする空気調和機。
【請求項４】
プレフィルターの表面にガイド体を設け、前記ガイド体で案内されながら前記ガイド体上を移動可能なガイド受け体を除塵体に設けたことを特徴とする請求項１〜３のいずれか１項に記載の空気調和機。
【発明の詳細な説明】
【技術分野】
【０００１】
本発明は、空気調和機に関するもので、特に、フィルターを清掃する機能を有する空気調和機に関するものである。
【背景技術】
【０００２】
従来のこの種の空気調和機として、多数の細径を有するとともに略シート状のプレフィルターと、そのプレフィルターの上流側に位置し、多数の細径ブラシの集合体で形成されている除塵体を備え、その除塵体を前記プレフィルターの上流側の面に所定圧力で当接させながら、移動させて、プレフィルターに付着した塵埃を除去するようにしたものがある（例えば、特許文献１参照）。
【特許文献１】特開２００１−１７０４３０号公報
【発明の開示】
【発明が解決しようとする課題】
【０００３】
しかしながら、上記特許文献１に開示されたような従来の空気調和機の構成では、プレフィルターがシート状になっているため剛性が弱く、そのため、プレフィルターの表面に除塵体が所定圧力で長時間押さえつけられていると、プレフィルターのその部分が、永久変形してしまい、プレフィルターを清掃するために、除塵体をプレフィルター上で移動させたときに、上記変形等により、除塵体がスムーズに移動せず、除塵残しが慢性的に生じやすい、という課題があった。
【０００４】
また、除塵体をプレフィルター上で移動させる代わりに、除塵体を固定して、プレフィルターを移動させるようにしても、プレフィルターの一部の変形により、プレフィルターをストレートに移動させるのが困難で、上記同様に除塵残しが慢性的に生じやすい、という課題があった。
【０００５】
本発明は、上記従来の課題を解決するもので、安価な構成で、除塵体或いはプレフィルターを確実にしかもスムーズに移動させて、プレフィルターに付着した塵埃を確実に除去することが出来ると共に、冷暖房効率に優れた空気調和機を提供することを目的とするものである。
【課題を解決するための手段】
【０００６】
前記従来の課題を解決するために、本発明の空気調和機は、吸込み口と排気口を有する本体に、浮遊塵埃を含む室内の空気を前記吸込み口から前記排気口に導く通過風路を形成し、前記通過風路内に、略シート状のフィルターと該フィルターの外周囲を保持する枠体より成る塵埃捕集用のプレフィルターと、送風機を設け、前記プレフィルターの上流側表面に接触し、前記プレフィルターで捕集された塵埃を除去するブラシ等より成る除塵体と、前記除塵体乃至プレフィルターのいずれかを前記通過風路内で往復移動させる駆動体を備え、前記フィルターの断面形状を略波形又はＷ字状としたもので、フィルターの断面形状を波形やＷ字状に形成することで、その有効濾過面積を増やし、送風機への圧力損失が減少し、長寿命化、小型化、塵埃捕集量の増加が可能で、かつ、プレフィルターの強度もUPするので、目詰まり状態でも、送風機による吸引力に打ち勝ち、フィルターが変形するのを防止することができる。また、除塵体でプレフィルターに付着した塵埃を除去するので、プレフィルターの目詰まりを防止できるとともに、冷暖房効率を向上させ、空気調和機の消費電力を抑えることが出来る。
【０００７】
又、本発明の空気空気調和機は、吸込み口と排気口を有する本体に、浮遊塵埃を含む室内の空気を前記吸込み口から前記排気口に導く通過風路を形成し、前記通過風路内に、略シート状のフィルターと該フィルターの外周囲を保持する枠体より成る塵埃捕集用のプレフィルターと、送風機を設け、前記プレフィルターの上流側表面に接触し、前記プレフィルターで捕集された塵埃を除去するブラシ等より成る除塵体と、前記除塵体乃至プレフィルターのいずれかを前記通過風路内で往復移動させる駆動体を備え、前記除塵体と前記プレフィルターの接触部の断面形状を略波形又はＷ字状としたもので、フィルターの断面形状を略波形或いは又はＷ字状に形成することで、その有効濾過面積を増やし、送風機への圧力損失が減少し、長寿命化、小型化、塵埃捕集量の増加が可能で、かつ、プレフィルターの強度もUPするので、目詰まり状態でも、送風機による吸引力に打ち勝ち、フィルターが変形するのを防止することができる。また、除塵体でプレフィルターに付着した塵埃を除去するので、プレフィルターの目詰まりを防止できるとともに、冷暖房効率を向上させ、空気調和機の消費電力を抑えることが出来る。
【０００８】
また、除塵体のプレフィルターに接触する部分の断面を波形又はＷ字状にすることで、除塵体のブラシが左右に変形しようとしても、ブラシの山部と谷部により、変形が減少される。特にブラシの山部では、その長さが長く変形しやすいが、谷部ではその長さが短いために変形しにくく、山部の変形を谷部が防止することが出来るので、確実にプレフィルターの除塵を行える。さらに、前記除塵体乃至プレフィルターのいずれかが、駆動体により移動する時に、それぞれの山部と谷部が、それぞれガイドレールの役目を果すので、除塵体が左右にぶれることがなく、確実にプレフィルターの上流側表面をストレートに移動し、除塵作業を、塵埃の取り残しなく、効率よく実施することが出来る。
【発明の効果】
【０００９】
本発明の空気調和機は、安価な構成で、除塵体或いはプレフィルターを確実にしかもスムーズに移動させて、プレフィルターに付着した塵埃を確実に除去することが出来ると共に、冷暖房効率に優れた空気調和機を提供することが出来る。
【発明を実施するための最良の形態】
【００１０】
第１の発明は、吸込み口と排気口を有する本体に、浮遊塵埃を含む室内の空気を前記吸込み口から前記排気口に導く通過風路を形成し、前記通過風路内に、略シート状のフィルターと該フィルターの外周囲を保持する枠体より成る塵埃捕集用のプレフィルターと、送風機を設け、前記プレフィルターの上流側表面に接触し、前記プレフィルターで捕集された塵埃を除去するブラシ等より成る除塵体と、前記除塵体乃至プレフィルターのいずれかを前記通過風路内で往復移動させる駆動体を備え、前記フィルターの断面形状を略波形又はＷ字状としたもので、フィルターの断面形状を波形やＷ字状に形成することで、その有効濾過面積を増やし、送風機への圧力損失が減少し長寿命化、小型化、塵埃捕集量の増加が可能で、かつ、プレフィルターの強度もUPするので、目詰まり状態でも、送風機による吸引力に打ち勝ち、フィルターが変形するのを防止することができる。また、除塵体でプレフィルターに付着した塵埃を除去するので、プレフィルターの目詰まりを防止できるとともに、冷暖房効率を向上させ、空気調和機の消費電力を抑えることが出来る。
【００１１】
第２の発明は、特に、第１の発明の空気調和機において、相対的に除塵体がプレフィルターの上流側表面に接触しながら移動する時に、前記除塵体又は前記プレフィルターの少なくとも一方を揺動させるもので、フィルターの断面が波形状又はＷ字状で、除塵体が直線状の場合、除塵体がフィルターに当接する圧力が、フィルターの山部、谷部で異なる為、清掃効果に差が生じてしまうが、移動時に、除塵体又はプレフィルターの少なくとも一方が揺動することにより、清掃効果を均一にできる。
【００１２】
第３の発明は、吸込み口と排気口を有する本体に、浮遊塵埃を含む室内の空気を前記吸込み口から前記排気口に導く通過風路を形成し、前記通過風路内に、略シート状のフィルターと該フィルターの外周囲を保持する枠体より成る塵埃捕集用のプレフィルターと、送風機を設け、前記プレフィルターの上流側表面に接触し、前記プレフィルターで捕集された塵埃を除去するブラシ等より成る除塵体と、前記除塵体乃至プレフィルターのいずれかを前記通過風路内で往復移動させる駆動体を備え、前記除塵体と前記プレフィルターの接触部の断面形状を略波形又はＷ字状としたもので、フィルターの断面形状を略波形或いは又はＷ字状に形成することで、その有効濾過面積を増やし、送風機への圧力損失が減少し、長寿命化、小型化、塵埃捕集量の増加が可能で、かつ、プレフィルターの強度もUPするので、目詰まり状態でも、送風機による吸引力に打ち勝ち、フィルターが変形するのを防止することができる。また、除塵体でプレフィルターに付着した塵埃を除去するので、プレフィルターの目詰まりを防止できるとともに、冷暖房効率を向上させ、空気調和機の消費電力を抑えることが出来る。
【００１３】
また、除塵体のプレフィルターに接触する部分の断面を波形又はＷ字状にすることで、除塵体のブラシが左右に変形しようとしても、ブラシの山部と谷部により、変形が減少される。特にブラシの山部では、その長さが長く変形しやすいが、谷部ではその長さが短いために変形しにくく、山部の変形を谷部が防止することが出来るので、確実にプレフィルターの除塵を行える。さらに、前記除塵体乃至プレフィルターのいずれかが、駆動体により移動する時に、それぞれの山部と谷部が、それぞれガイドレールの役目を果すので、除塵体が左右にぶれることがなく、確実にプレフィルターの上流側表面をストレートに移動し、除塵作業を、塵埃の取り残しなく、効率よく実施することが出来る。
【００１４】
第４の発明は、特に、第１〜３のいずれか一つの発明のプレフィルターの表面にガイド体を設け、前記ガイド体で案内されながら前記ガイド体上を移動可能なガイド受け体を除塵体に設けたもので、プレフィルターと除塵体の接触抵抗が軽減できるので、駆動体の駆動力は小さくて済み、すなわち小型軽量化が可能となる。当り前であるが、両者の接触速度は、プレフィルターの速度が除塵体より大の方が、除塵効果は向上する。また、プレフィルターに設けたガイド体で案内されながらガイド体上を移動可能なガイド受け体を、断面が波形又はＷ字状の除塵体に設けることで確実に、除塵体はガイドされ、除塵効果がより向上する。
【００１５】
以下、本発明の実施例について、図面を参照しながら説明する。なお、この実施例によって本発明が限定されるものではない。
（実施例１）
【００１６】
図１は、本発明の第１の実施例における空気調和機の断面図、図２は、同空気調和機のプレフィルターの斜視図及び分解斜視図、図３（ａ）は、同プレフィルターの裏面部分斜視図、図３（ｂ）は、同プレフィルターのフィルターの他の例を示す部分断面図、図４は、同空気調和機の除塵体と収納体の斜視図、図５は、同除塵体とフィルターの断面図、図６は、同除塵体とプレフィルターの断面図である。
【００１７】
図１〜６において、本実施例における空気調和機の本体１の前部には、複数の吸込み口２を有すると共に上端が本体１に回動自在に取着された前面パネル３が取り付けられ、本体１の下部には、排気口４が設けられ、吸込み口２と排気口４とを連通して、浮遊塵埃を含む室内の空気を吸込み口２から排気口４に導く通過風路５内には、前面パネル３側から順に、吸込み口２から流入する室内の空気に含まれる塵埃を捕捉するプレフィルター６と、室内熱交換器７と、吸込み口２から室内の空気を吸引し、前記室内熱交換器７で熱交換された空気を排気口４から吹き出すための送風機８とが配置されている。
【００１８】
本体１の下面には、プレフィルター６が出没するプレフィルター通過口９が設けられている。プレフィルター６の上流側には、プレフィルター６で捕捉された塵埃を除去する除塵体１２と、除塵体１２で除去され落下する塵埃を受ける収納体１３が設けられている。    本体１の側面には、特に図示しないが、収納体１３を出し入れするための開口部が設けられている。
【００１９】
１４は、プレフィルター６を、本体１に設けたプレフィルター保持溝１５にガイドさせながら斜め上・下方向に移動させる第１の駆動体で、プレフィルター６を斜め下方に移動させると、プレフィルター６がプレフィルター通過口９より外方に飛び出し、プレフィルター６を斜め上方に移動させると、プレフィルター６が本体１内に収納されるようになっている。１６は、送風機８や、第１の駆動体１４などの電気部品を制御する制御体である。
【００２０】
プレフィルター６は、略シート状で塵埃捕集用の濾材から成り、断面が、図２に示すように波形または図３（ｂ）に示すようにＷ字状のフィルター２０と、フィルター２０の外周囲を保持する枠体２１から構成されている。
【００２１】
枠体２１は、中央に開口２１ａを有し、上下に、フィルター２０の断面形状と相似で、フィルター２０の上端、下端が気密に固着されるフィルター受け部２１ｂが設けられ、フィルター２０の上端、下端を、上下のフィルター受け部２１ｂに、フィルター２０の左端、右端を枠体２１の左端、右端にそれぞれ固着することにより、開口２１ａがフィルター２０で完全に覆われる。枠体２１の右端の裏面には、図３（ａ）に示すように、ギアＡ２１ｃが、上下方向に延設されている。
【００２２】
第１の駆動体１４は、第１のモータ１７と、その回転軸１７ａに固着され、枠体２１に設けたギアＡ２１ｃに噛み合う第１の駆動ギア２２から構成されている。
【００２３】
除塵体１２は、両端が本体１に回転自在に支持される軸体１２ａと、多数の細径の繊維などからなり、軸体１２ａの外周に取着されると共に、フィルター２０の上流側表面に接して、フィルター２０に付着した塵埃を除去するブラシ１２ｂから構成されている。ブラシ１２ｂの長さは、プレフィルター６の全幅に略等しく設定されている。尚、ブラシ１２ｂの軸体１２ａの外周への取着は、接着、溶着、植毛するなどの方法で固着するか、或いは、着脱自在に装着できるようにしても良い。
【００２４】
２３は、除塵体１２の軸体１２ａに連結され、同除塵体１２を、図１において、反時計方向に回転駆動する第２の駆動体である。
【００２５】
除塵体１２で除去され落下してくる塵埃を受ける収納体１３の上面には、除塵体１２のブラシ１２ｂが臨む開口部１３ａが形成され、収納体１３内の一部には、先端がブラシ１２ｂに食い込む櫛歯２４が、ブラシ１２ｂと平行に設けられている。
【００２６】
以上のように構成された本実施の形態における空気調和機の動作、作用は以下の通りである。
【００２７】
なお、本実施例における空気空気調和機の冷暖房運転時の動作は、従来の空気調和機のそれと同一なので、その説明を省略し、特に、プレフィルター６の清掃運転時の動作について説明する。
【００２８】
本体１又は、本体１を遠隔操作するリモコン（図示せず）に設けたプレフィルタークリーニングスイッチ（図示せず）を操作すると、まず最初に、第２の駆動体２３の運転により除塵体１２が反時計方向に、すなわち、ブラシ１２ｂで、フィルター２０に付着した塵埃を下から上に向けて掻き上げる方向に回転する。そして、第１の駆動体１４が駆動して、プレフィルター６をゆっくりと斜め下方に移動させる。この動作により、フィルター２０の下方から順に、フィルター２０に付着した塵埃が掻き落とされ、その塵埃は、収納体１３内に落下し、堆積していく。
【００２９】
本実施例では、上記清掃運転のときは、ブラシ１２ｂの外周の周速度が、プレフィルター６の下降速度より大きくなるように設定している。これにより、プレフィルター６に付着した塵埃を確実に除去することができる。
【００３０】
上記の動作の間、ブラシ１２ｂに塵埃が付着したまま残ることがあるが、それらは、先端がブラシ１２ｂに食い込んだ櫛歯２４により、順次取り除かれるので、塵埃の除去性能が次第に低下することは無い。
【００３１】
第１の駆動体１４の運転により、プレフィルター６が完全に下がりきって、あるいは、所定の位置まで下がりきり、プレフィルター６の清掃が完了すると、自動的に第１の駆動体１４が逆転し、プレフィルター保持溝１５にガイドされながら、プレフィルター６が上昇し、最初の収納位置に戻る。このプレフィルター６が上昇する間に、除塵体１２を清掃時と同様に、第２の駆動体２３で回転させれば、プレフィルター６の清掃をより確実に行うことができる。
【００３２】
或いは、プレフィルター６が上昇する間に、クラッチ機構（図示せず）などを用いて、除塵体１２と第２の駆動体２３との機械的連結を解除し、除塵体１２が自由に回転できるようにすれば、プレフィルター６に加わる負荷、すなわち、第１の駆動体１４に加わる負荷が大幅に減るようになり、第１の駆動体１４の小型化を図ることもできる。
【００３３】
プレフィルター６の清掃を、上記のようにして何度か行って、収納体１３内が塵埃で一杯になってきたら、本体１の側面に設けた開口部（図示せず）から、収納体１３を取り出して、中の塵埃を廃棄すれば良い。
【００３４】
コスト高にはなるが、収納体１３に吸引装置（図示しない）を連結して、定期的に或いは、光学的手段などを用いて、収納体１３が塵埃で一杯になったことを検知したときに、前記吸引装置を運転して、外部に排出するようにすれば、手間がかからず、メンテナンスが容易な空気調和機を提供できる。
【００３５】
以上のように、本実施例における空気調和機によれば、フィルター２０の断面形状を波形やＷ字状に形成しているので、その有効濾過面積を増やし、送風機８への圧力損失が減少し、長寿命化、小型化、塵埃捕集量の増加が可能となる。
【００３６】
さらに、プレフィルターの強度もUPするので、目詰まり状態でも、送風機８による吸引力に打ち勝ち、フィルター２０が変形するのを防止することができる。また、除塵体１２でプレフィルター６に付着した塵埃を除去するので、プレフィルター６の目詰まりを防止できるとともに、冷暖房効率を向上させ、空気調和機の消費電力を抑えることが出来る。
（実施例２）
【００３７】
図７は、本発明の第２の実施例における空気調和機の除塵体とプレフィルターの部分正面図である。なお、上記第１の実施例における空気調和機と同一部分については同じ符号を用いて説明を省略する。
【００３８】
図７において、除塵体１２は、その長手方向が、プレフィルター６のフィルター２０の山部２０ａの延設方向と直交するように配されているが、本実施例では、プレフィルター６を清掃するために、プレフィルター６を矢印Ａ方向に移動させる際に、除塵体１２又はプレフィルター６の少なくとも一方を、矢印Ｂ方向、すなわち、プレフィルター６の移動方向と直交する方向で、所定の振幅幅で揺動させるというものである。
【００３９】
フィルター２０の断面形状が波形又はＷ字状で、除塵体１２のブラシ１２ｂの突出代が略均一の場合、すなわちブラシ１２ｂの外径寸法が、長手方向で略均一の場合、ブラシ１２ｂがフィルター２０に当接する圧力が、フィルター２０の山部２０ａ、谷部２０ｂで異なる為、清掃効果に差が生じてしまうが、本実施例では、清掃運転時に、除塵体１２又はプレフィルター６の少なくとも一方が揺動することにより、清掃効果を均一に発揮させることができる。
（実施例３）
【００４０】
図８（ａ）は、本発明の第３の実施例における空気調和機の除塵体の斜視図、図８（ｂ）は、同除塵体の他の例を示す斜視図、図８（ｃ）は、同除塵体とプレフィルターとの関係を示す断面図である。なお、上記実施例における空気調和機と同一部分については同じ符号を用いて説明を省略する。
【００４１】
上記第１及び第２の実施例では、除塵体１２のブラシ１２ｂを、その外径寸法が、全幅に渡って略均一になるように形成したが、本実施例では、除塵体２７のブラシ２７ｂの断面形状を、図８（ａ）に示すように略波形又は、図８（ｂ）に示すように略Ｗ字状とし、除塵体２７とプレフィルター６のフィルター２０との接触部の断面形状を略波形または略Ｗ字状になるようにしたもので、他の構成は、上記第１の実施例と同じである。
【００４２】
以上のように、本実施例によれば、除塵体２７のブラシ２７ｂの断面形状を、フィルター２０の断面形状と同じく、略波形又は、略Ｗ字状にすることで、除塵体２７のブラシ２７ｂが左右に変形しようとしても、ブラシ２７ｂの山部２７ｃと谷部２７ｄにより変形が減少される。特に、ブラシ２７ｂの山部２７ｃでは、その長さが長く変形しやすいが、谷部２７ｄではその長さが短いため変形しにくく、山部２７ｃの変形を谷部２７ｄが防止することが出来るので、確実にプレフィルター６の除塵を行える。さらに、プレフィルター６が第１の駆動体１４により移動する時に、それぞれの山部２０ａ、２７ｃと谷部２０ｂ、２７ｄが、それぞれガイドレールの役目を果すので、除塵体２７が左右にぶれることがなく、確実にプレフィルター６の上流側表面をストレートに移動し、除塵作業を、塵埃の取り残しなく、効率よく実施することが出来る。
（実施例４）
【００４３】
図９は、本発明の第４の実施例における空気調和機の除塵体とプレフィルターの構成を示す斜視図である。なお、上記実施例における空気調和機と同一部分については同じ符号を用いて説明を省略する。
【００４４】
上記第１乃至第３の実施例では、除塵体の位置を固定し、プレフィルターを上下動させて、プレフィルターを清掃するようにしたが、本実施例は、プレフィルターを固定し、除塵体と収納体を、プレフィルターの表面に沿って上下動させて、プレフィルターを清掃するようにするものである。
【００４５】
図９において、本実施例における空気調和機のプレフィルター６の枠体２９の一端に、ギアＢ２９ａが、上下方向に延設されている。除塵体２７の軸体２７ｅのブラシ２７ｂと第２の駆動体２３との間の部分にギアＢ２９ａに噛み合う第２の駆動ギア３０が嵌着され、更に、収納体１３（構成の説明を容易にするために、２点鎖線で図示）の両端が、除塵体２７の軸体２７ｅに回転自在に軸支されている。
【００４６】
２８ａは、除塵体２７の第２の駆動体２３側をガイドするガイドレールＡで、２８ｂは、除塵体２７の第２の駆動体２３と反対側の端部をガイドするガイドレールＢである。
【００４７】
本実施例における空気調和機は、以上のように構成されているので、第２の駆動体２３を駆動すると、除塵体２７が矢印Ｃ方向に回転すると共に、除塵体２７が、収納体１３と共に上昇していき、その間に、除塵体２７で、フィルター２０から除去された塵埃は、収納体１３内に落下していく。そして、除塵体２７及び収納体１３が、プレフィルター６の上端に達したら、自動的に第２の駆動体２３を逆転させて、除塵体２７及び収納体１３を元の位置に、すなわちプレフィルター６の下端まで移動させておくようになっている。
【００４８】
尚、特に図示しないが、収納体１３が、上下動する際にぐらつかないようにするために、本体１または、プレフィルター６に、収納体１３を案内するためのガイドレールを設けると良い。
【００４９】
以上のように、本実施例では、大型のプレフィルター６を移動させずに、除塵体２７を上下動させるようにし、しかも、除塵体２７を回転駆動する第２の駆動体２３で、除塵体２７を上下動させる駆動源として使用するようにしたので、上記第１〜３の実施例にあるような第１の駆動体１４が不要になると共に、プレフィルター６の清掃運転時に、プレフィルター６が、本体１の底部から飛び出すことも無いので、安価で、意匠的にも優れた空気調和機を提供することが出来るものである。
（実施例５）
【００５０】
図１０は、本発明の第５の実施例における空気調和機の除塵構成を示す部分断面図及び除塵体の斜視図である。なお、上記実施例における空気調和機と同一部分については同じ符号を用いて説明を省略する。
【００５１】
上記第１〜４の実施例では、第２の駆動手段２３で除塵体１２、２７を回転させながらプレフィルター６のフィルター２０に付着した塵埃を除去するようにしたが、本実施例は除塵体を回転させること無く、プレフィルター６の清掃を行うようにしたものである。
【００５２】
図１０において、３３は、全体が略帯状に形成されプレフィルター６のフィルター２０に付着した塵埃を除去する除塵体で、両端に回転軸３３ａを有する基部３３ｂと、一側が基部３３ｂで保持され、先端でフィルター２０の上流側の表面に付着した塵埃を除去するブラシ３３ｃから構成されている。
【００５３】
３４は、除塵体３３で除去した塵埃を収納する収納体で、略箱状に形成され、左右の側壁３４ａの上部で、除塵体３３の回転軸３３ａを回転自在に軸支して除塵体３３を回動自在とし、上部には、除塵体３３が臨む開口部３４ｂを有している。３４ｃは、除塵体３３の回動を規制するストッパーで、３５は、コイルバネなどからなり、除塵体３３をストッパー３４ｃ側（図１０においては反時計方向）に付勢する付勢部材で、除塵体３３がストッパー３４ｃに当接している位置で、ブラシ３３ｃの先端が、フィルター２０の上流側表面に斜めに接するように配置、構成されている。
【００５４】
３６は、本体１又はプレフィルター６に形成され、収納体３４をガイドするガイドレールで、プレフィルター６のフィルター２０の表面と平行に設けられている。更に、本実施例では、収納体３４をガイドレール３６に沿って上下動させる第３の駆動体（図示しない）を備えている。
【００５５】
以上のように構成された本実施例における空気調和機におけるプレフィルター６の清掃動作は、以下の通りである。
【００５６】
図１０は、収納体３４が、プレフィルター６の上端に位置している状態を示しており、図示しない第３の駆動体を駆動して、収納体３４を下降させると、その間、除塵体３３のブラシ３３ｃの先端で、プレフィルター６のフィルター２０の表面に付着した塵埃がこそぎ落とされ、収納体３４の開口部３４ｂより内方に落下し堆積していく。このようにして、収納体３４がプレフィルター６の下端に達し、フィルター２０の清掃が完了すると、自動的に、第３の駆動体が逆転し収納体３４を上昇させ、収納体３４がプレフィルター６の上端に達すると、第３の駆動体の運転が停止するようになっている。
【００５７】
本実施例では、除塵体３３のブラシ３３ｃの先端がフィルター２０の上流側表面に斜め下方で接するようにしているので、収納体３４を上方に移動させる際、ブラシ３３ｃの先端がフィルター２０に食い込むことが無く、万が一、フィルター２０の表面に塵埃が除去しきれず残っていたとしてもそれを上方に掻き上げてしまうようなことは無い。
【００５８】
以上のように、本実施例によれば、除塵体３３の構造が単純で、しかもそれを回転させるための第２の駆動体２３が必要ないので、空気調和機を安価に構成することが出来る。
（実施例６）
【００５９】
図１１は、本発明の第６の実施例における空気調和機のプレフィルターの斜視図、図１２は、同空気調和機の除塵体とプレフィルターの断面図である。
【００６０】
本実施例は、図１１、図１２に示すように、プレフィルター６の左右方向での略中央部に、中央溝３８ａを有するガイド体３８を上下方向に延設し、更に、除塵体２７の略中央にガイド受け体３９を設け、プレフィルター６が上下方向に移動する際に、除塵体２７に設けたガイド受け体３９が、中央溝３８ａで案内されながら内部を転がるようにして、相対的に移動できるようにしたもので、他の構成は、上記第３の実施例における空気調和機と同一なので、同一部分については、同じ符号を用いて、それらの説明を省略する。
【００６１】
本実施例における空気調和機は以上のように構成されているので、プレフィルター６と除塵体２７との接触抵抗が軽減され、それにより第１の駆動体１４、第２の駆動体２３の駆動力が小さくて済み、結果的に小型軽量化が可能となるものである。当り前であるが、除塵体２７とプレフィルター６の両者の接触速度は、プレフィルター６の速度が除塵体２７より大の方が、除塵効果は向上する。また、プレフィルター６に設けたガイド体３８の中央溝３８ａ内を移動するガイド受け体３９を、ブラシ２７ｂの断面が波形又はＷ字状の除塵体２７に設けることで、確実に除塵体２７がガイドされ、除塵効果がより向上するものである。
【００６２】
尚、上記実施例では、ガイド体３８側に中央溝３８ａを設け、その中央溝３８ａで、除塵体２７に設けたガイド受け体３９を案内するようにしたが、図１３、１４に示すように、プレフィルター６の表面に略ブレード状のガイド体４０を設け、除塵体２７側に、ガイド体４０の上端が入り込む凹溝４１ａを有するガイド受け体４１を設けて、ガイド受け体４１がガイド体４０で案内されながらガイド体４０上を移動できるようにしても、同様な効果が得られるものである。
【００６３】
又、上記各実施例では、プレフィルター６の清掃時に、プレフィルター６または除塵体（１２、２７または３２）のいずれか一方を、上下方向に移動させるようにしたが、清掃時間の短縮を図るために、プレフィルター６と除塵体（１２、２７または３２）の両方を同時に、且つ互いに反対方向に移動させるようにしても良い。
【００６４】
さらに、上記各実施例では、プレフィルター６の清掃時に、プレフィルター６、除塵体（２７または３２）を上下方向に移動させるようにしたが、左右方向に移動させるようにしても良い。
【産業上の利用可能性】
【００６５】
以上のように、本発明にかかる空気調和機は、安価な構成で、除塵体或いはプレフィルターを確実にしかもスムーズに移動させて、プレフィルターに付着した塵埃を確実に除去することが出来ると共に、冷暖房効率に優れたもので、各種空気調和機に広く利用できるものである。
【図面の簡単な説明】
【００６６】
【図１】本発明の第１の実施例における空気調和機の断面図
【図２】同空気調和機のプレフィルターの斜視図及び分解斜視図
【図３】（ａ）同プレフィルターの裏面部分斜視図（図２の矢視Ａ）、（ｂ）同プレフィルターのフィルターの他の例を示す部分断面図
【図４】同空気調和機の除塵体と収納体の斜視図
【図５】同除塵体とフィルターの断面図
【図６】同除塵体とプレフィルターの断面図
【図７】本発明の第２の実施例における空気調和機の除塵体とプレフィルターの部分正面図
【図８】（ａ）本発明の第３の実施例における空気調和機の除塵体の斜視図、図８（ｂ）同除塵体の他の例を示す斜視図、（ｃ）同除塵体とプレフィルターとの関係を示す断面図
【図９】本発明の第４の実施例における空気調和機の除塵体とプレフィルターの構成を示す斜視図
【図１０】（ａ）本発明の第５の実施例における空気調和機の除塵構成を示す部分断面図、(ｂ)同空気調和機の除塵体の斜視図
【図１１】本発明の第６の実施例における空気調和機のプレフィルターの斜視図
【図１２】同空気調和機の除塵体とプレフィルターの断面図
【図１３】同空気調和機のプレフィルターの他の例を示す斜視図
【図１４】同空気調和機の除塵体とプレフィルターの断面図
【符号の説明】
【００６７】
１  本体
２  吸込み口
４  排気口
５  通過回路
６  プレフィルター
７  室内熱交換器
８  送風機  
１２、２７、３２  除塵体
１３、３４  収納体
１４  第１の駆動体（駆動体）
２０  フィルター
２１、２９  枠体
２３  第２の駆動体
３８、４０  ガイド体
３９、４１  ガイド受け体
【図１】
2009180465.tif 000003
【図２】
2009180465.tif 000004
【図３】
2009180465.tif 000005
【図４】
2009180465.tif 000006
【図５】
2009180465.tif 000007
【図６】
2009180465.tif 000008
【図７】
2009180465.tif 000009
【図８】
2009180465.tif 000010
【図９】
2009180465.tif 000011
【図１０】
2009180465.tif 000012
【図１１】
2009180465.tif 000013
【図１２】
2009180465.tif 000014
【図１３】
2009180465.tif 000015
【図１４】
2009180465.tif 000016